(57)【要約】【課題】  耐滑性能は維持したまま、着用者の着用時のさらなる負担軽減および快適性の向上を図る耐滑靴底及びそれを用いた耐滑靴を提供する。【解決手段】  靴の底面に接合されるミッドソール２０と、該ミッドソールの底面に接合されると共に複数のブロック意匠を有するアウトソール３０とを具備する耐滑靴底１０であって、前記ミッドソールが前記アウトソールよりも柔らかい発泡体からなり、前記発泡体は、２５ｍｍ厚の発泡体に直径１６ｍｍで重さ１６．５ｇのスチールボールを落としたときの跳ね返り高さの割合である反発率が５０％以上であり、前記ブロック意匠は、先端面が平滑であって該先端面に対して実質的に垂直面となる側面を有し、前記側面の垂直面に対する傾きが０度〜３度である。【選択図】  図２
2020074859.tif 000002
【特許請求の範囲】
【請求項１】
靴の底面に接合されるミッドソールと、該ミッドソールの底面に接合されると共に複数のブロック意匠を有するアウトソールとを具備する耐滑靴底であって、
前記ミッドソールが前記アウトソールよりも柔らかい発泡体からなり、
前記発泡体は、２５ｍｍ厚の発泡体に直径１６ｍｍで重さ１６．５ｇのスチールボールを落としたときの跳ね返り高さの割合である反発率が５０％以上であり、
前記ブロック意匠は、先端面が平滑であって該先端面に対して実質的に垂直面となる側面を有し、前記側面の垂直面に対する傾きが０度〜３度であることを特徴とする耐滑靴底。
【請求項２】
請求項１に記載の耐滑靴底において、前記発泡体は、アスカーＣ硬度が４０度〜６０度の範囲にあることを特徴とする耐滑靴底。
【請求項３】
請求項１又は２に記載の耐滑靴底において、前記ブロック意匠の前記先端面は、多角形状、円形、楕円形、及び直線状又は屈曲した帯形状から選択される少なくとも一つで形成されていることを特徴とする耐滑靴底。
【請求項４】
請求項１〜３の何れか一項に記載の耐滑靴底において、前記ブロック意匠の前記先端面の外縁は、当該靴底の前後方向及び左右方向に対して傾斜していることを特徴とする耐滑靴底。
【請求項５】
請求項４に記載の耐滑靴底において、前記ブロック意匠の前記先端面は、菱形、平行四辺形、三角形およびＶ字形状から選択される少なくとも一つの形状パターン、および前記形状パターンになるように連続して又は断続的に配置された帯状パターンの少なくとも一方で形成されていることを特徴とする耐滑靴底。
【請求項６】
請求項５に記載の耐滑靴底において、前記ブロック意匠の配列パターンは、前記Ｖ字形状のパターン又は帯状パターンが、菱形又は平行四辺形に近似した形状となるように配置されたものであることを特徴とする耐滑靴底。
【請求項７】
請求項６に記載の耐滑靴底において、前記ブロック意匠の配列パターンは、前記菱形又は平行四辺形に近似した形状となるように配置されたブロック意匠の内側に前記三角形の形状パターン又は帯状パターンを三角形に配置したブロック意匠が配置されていることを特徴とする耐滑靴底。
【請求項８】
請求項１〜７の何れか一項に記載の耐滑靴底を備えたことを特徴とする耐滑靴。
【発明の詳細な説明】
【技術分野】
【０００１】
本発明は、安全靴等の靴底に用いられて、例えば、水、油等による滑りを抑えた耐滑靴底及びそれを備えた耐滑靴に関する。
【背景技術】
【０００２】
従来、例えば、飲食店の厨房等では、床面に水や油等が付着して滑りやすくなっていることが多い。このため、このような場所で使用する作業靴としては、これら水や油等による滑りを防止した耐滑靴底、すなわち、耐滑性の高い耐滑靴底を用いたものが使用されている。
【０００３】
耐滑性を向上させるための構造としては、例えば、靴底接地部の硬さを規定すると共に、この靴底接地部に設けられるブロック意匠の形状、例えば、高さ及び勾配等を規定し且つこれらブロック意匠が陥没しにくく、かつ、倒れにくいような強度を有するように底の最薄部の厚さ等を規定したものがある（例えば、特許文献１参照）。またその他の構造として、例えば、所定形状の複数のブロック意匠を有する靴底接地部（アウトソール）と、このアウトソールと同等以上の硬さを有する中底又はミッドソールとの２層底としたものがある（例えば、特許文献２参照）。靴底をこのような構造とすることで、耐滑性を向上することはできる。
【０００４】
しかしながら、このような構造の耐滑靴底は、靴底全体の剛性が比較的高くなってしまうため、作業靴としたときの履き心地が悪いという問題がある。また、耐滑靴底を構成する靴底接地部等を比較的硬度の低い材料で形成すれば、靴底全体の剛性が低下して履き心地のよい作業靴を製造することはできるが、十分な耐滑性が得られないという問題や、耐久性が大幅に低下してしまうという問題が発生してしまう。
【０００５】
そこで、ミッドソールをアウトソールより柔らかい材料として履き心地を向上すると共に、ブロック意匠の側面の少なくとも前記靴の前後方向の側面の基端部側には、外側に向かって高さが漸小するように張り出した補強部を設けることにより、耐滑性を維持した耐滑靴底が提案されている（特許文献３参照）。
【０００６】
しかしながら、特許文献３の構造を採用すると、履き心地の改善と、耐滑性の確保の両立が図れるが、履き心地のさらなる改善、および長時間着用したときの負担軽減や快適性のさらなる向上が求められている。
【先行技術文献】
【特許文献】
【０００７】
【特許文献１】特許第３４５１２０５号公報
【特許文献２】特許第３５５３０４１号公報
【特許文献３】特許第４７２１２６１号公報
【発明の概要】
【発明が解決しようとする課題】
【０００８】
本発明は上述した事情に鑑み、耐滑性能は維持したまま、着用者の着用時のさらなる負担軽減および快適性の向上を図る耐滑靴底及びそれを用いた耐滑靴を提供することを目的とする。
【課題を解決するための手段】
【０００９】
前記課題を解決する本発明は、靴の底面に接合されるミッドソールと、該ミッドソールの底面に接合されると共に複数のブロック意匠を有するアウトソールとを具備する耐滑靴底であって、前記ミッドソールが前記アウトソールよりも柔らかい発泡体からなり、前記発泡体は、２５ｍｍ厚の発泡体に直径１６ｍｍで重さ１６．５ｇのスチールボールを落としたときの跳ね返り高さの割合である反発率が５０％以上であり、前記ブロック意匠は、先端面が平滑であって該先端面に対して実質的に垂直面となる側面を有し、前記側面の垂直面に対する傾きが０度〜３度であることを特徴とする耐滑靴底にある。
【００１０】
かかる本発明の態様では、ミッドソールがアウトソールよりも柔らかい発泡体からなり、発泡体を反発率が５０％以上である高反発弾性を有するものとしたので、ブロック意匠に補強部を設けなくても倒れ込みが防止され、且つ着用者の着用時のさらなる負担軽減および快適性の向上を図る耐滑靴底を提供することができる。
【００１１】
ここで、前記発泡体は、アスカーＣ硬度が４０度〜６０度の範囲にあることが好ましい。
【００１２】
また、前記ブロック意匠の前記先端面は、多角形状、円形、楕円形、及び直線状又は屈曲した帯形状から選択される少なくとも一つで形成されていることが好ましい。
【００１３】
また、前記ブロック意匠の前記先端面の外縁は、当該靴底の前後方向及び左右方向に対して傾斜していることが好ましい。
【００１４】
また、前記ブロック意匠の前記先端面は、菱形、平行四辺形、三角形およびＶ字形状から選択される少なくとも一つの形状パターン、および前記形状パターンになるように連続して又は断続的に配置された帯状パターンの少なくとも一方で形成されていることが好ましい。
【００１５】
また、前記ブロック意匠の配列パターンは、前記Ｖ字形状のパターン又は帯状パターンが、菱形又は平行四辺形に近似した形状となるように配置されたものであることが好ましい。
【００１６】
また、前記ブロック意匠の配列パターンは、前記菱形又は平行四辺形に近似した形状となるように配置されたブロック意匠の内側に前記三角形の形状パターン又は帯状パターンを三角形に配置したブロック意匠が配置されていることが好ましい。
【００１７】
本発明の他の態様は、上記態様の耐滑靴底を備えたことを特徴とする耐滑靴にある。
【発明の効果】
【００１８】
以上説明したように、本発明では、ミッドソールがアウトソールよりも柔らかい発泡体であって、発泡体に反発率が５０％以上である高反発弾性を有するものとしたので、ブロック意匠に補強部を設けなくても倒れ込みが防止され、且つ着用者の着用時のさらなる負担軽減および快適性の向上を図る耐滑靴底を提供することができる。
【図面の簡単な説明】
【００１９】
【図１】本発明の実施形態１に係る耐滑靴底の底面図である。
【図２】図１のＡ−Ａ′線断面図である。
【図３】図１のＢ−Ｂ′線断面図である。
【図４】ブロック意匠の傾斜勾配を説明する断面図である。
【発明を実施するための形態】
【００２０】
以下に本発明を実施形態に基づいて詳細に説明する。
【００２１】
（実施形態１）
図１は、本発明の実施形態１に係る耐滑靴底の底面図であり、図２は、図１のＡ−Ａ′線断面図、図３は、図１のＢ−Ｂ′線断面図であり、図４は、ブロック意匠の傾斜勾配を説明する断面図である。
【００２２】
図１及び図２に示すように、本実施形態に係る耐滑靴底１０は、靴のアッパー（図示を省略）の底面に接合されるミッドソール２０と、このミッドソール２０に接合されるアウトソール３０との２層で構成されている。アウトソール３０は、例えば、ポリウレタン、ゴム等の比較的硬度の高い材料で形成されている。アウトソール３０の硬さは、例えば、５４度〜６２度（ＪＩＳ−Ａ、２０℃）である。
【００２３】
ミッドソール２０は、アウトソール３０よりも柔らかい材料で形成され、その材料は特に限定されないが、例えば、ゴム、エラストマ、プラスチック等の材料を発泡させた発泡体がミッドソール２０の材料として好適に用いられる。具体的には、例えば、発泡ポリウレタン、発泡エチレンビニルアセテート（ＥＶＡ）等が挙げられる。ミッドソール２０の硬さは、例えば、４０度〜６０度（アスカーＣ、２０度）である。
【００２４】
但し、ミッドソール２０は、本発明では、高反発弾性のものを採用している。ここで、高反発弾性とは、反発率が５０％以上、好ましくは６０％以上と高いものをいう。反発率は、ＪＩＳ  Ｋ６４００の反発力の測定方法に準じて測定したものであり、実際のミッドソール厚さ（踵部）に近い２５ｍｍ厚のシートを用い、直径１６ｍｍのスチールボール（重さ１６．５ｇ）を高さ５００ｍｍから落下させたときの跳ね返り高さ（％）とした。
【００２５】
本発明では、ミッドソール２０を、アウトソール３０より柔らかいが、高反発弾性とすることにより、着用者の着用時のさらなる負担軽減および快適性の向上を図ることができ、且つ後述するブロック意匠３１へかかる力を高反発で受け止めてブロック意匠３１の倒れを防止し、ブロック意匠３１に倒れを防止する補強部を設けることなく耐滑性を維持することができるようにした。これにより、アウトソール３０の軽量化を図ることができるという効果を奏する。
【００２６】
アウトソール３０は、ミッドソール２０とは反対側に突出する複数のブロック意匠３１を有する。ブロック意匠３１は、多角形、円形などとし、その意匠高さ、意匠勾配、最小寸法（幅）が相互に関係し、かつ、ブロック意匠３１の接地面となる先端面（トップ）は、フラット（平面）で、凹凸模様がない方がよい。ブロック意匠３１の高さ（例えば、図３のｈ）は、１ｍｍから７ｍｍが必要である。１ｍｍ未満では、着用中に荷重が加わることによって、ブロック意匠が変形し、ブロック意匠のないフラットな靴底と変わりなく、引っ掛かりがなくなってしまうので、滑りやすくなる。また、７ｍｍを超えると、ブロック意匠が高くなりすぎて、逆に不安定になってしまう。
【００２７】
ブロック意匠３１の意匠勾配、すなわち、先端面と実質的に垂直面となる側面の垂直面に対する傾斜角度（図４のθ）は、０度〜３度、好ましくは、０度〜２度、さらに好ましくは、０度〜１度がよい。０度は、つまり直角であるが、引っ掛かりができて、ストップ性がよくなる。傾斜角度は成形の際の脱型のし易さ等を考慮して多少必要であり、３度まで許容できるが、耐滑性のためにはできるだけ小さい方がよい。なお、傾斜角度をとることと、意匠の補強部を設けることとは異なり、本発明では、上述したとおり、補強部は設ける必要はない。
【００２８】
意匠パターンの最小寸法とは、例えば、円形のブロック意匠であれば、その直径、四角形であれば、相対する二辺の最短距離をいう。この最小寸法は、２ｍｍ以上８ｍｍ以下であることが必要である。２ｍｍ未満であると、容易に変形してしまうので、ふんばりがきかず、耐滑性が得られない。８ｍｍを超えると、床面との接触面積が大きくなりすぎ、無意匠と同じようになってしまう。なお、意匠パターンは、床面全面でも、踏み付け中央部、踵部など部分的でもよい。靴底には、縦、横に湾曲したカーブがあるので、静置した状態で床面と接触する部分さえ確保すれば、靴底全面でなくても同様の効果が得られる。
【００２９】
耐滑靴底の構造において、接地面のブロック意匠３１そのものは、しなやかで、かつ、床面を捉えたまま放さない構造である方がよい。ブロック意匠３１に垂直方向から力がかかった場合、ブロック意匠３１が陥没せずに反発し、力を床面に伝える必要がある。また、ブロック意匠３１に横方向から力がかかった場合、ブロック意匠３１が変形しないで、滑り出しても、床面を捉え続ける必要がある。
【００３０】
本発明では、上述したように、ミッドソール２０を、アウトソール３０より柔らかいが、高反発弾性とすることにより、ブロック意匠３１へかかる力を高反発で受け止めてブロック意匠３１の倒れを防止し、ブロック意匠３１による耐滑性を維持することができるようにしている。
【００３１】
図１に示す本実施形態のブロック意匠は、先端面の外縁が当該靴底の前後方向及び左右方法に対して傾斜するように設計されている。ブロック意匠の一つのグループは、菱形形状を形成するように、Ｖ字形状の帯状パターン３１１の上側を相対向するように横向きに配置して、内方に三角形パターン３１２を２つ配置し、帯状パターン３１１と三角形パターン３１２の間に、前後方向に延びる隙間３１３を設けるようにしている。
【００３２】
これにより、前後左右方向への動きに対応して耐滑性を得ることができる。
【００３３】
本発明の耐滑靴底の製造方法は特に限定されず、射出成形、プレス成形などを採用することができるが、できあがりの寸法精度を高レベルに維持するためには、プレモールディング後、プレス成形するのが好ましい。すなわち、高反発弾性を有するミッドソール２０を射出成形すると、寸法精度にバラツキが出やすいが、若干大きめにプレモールディングして、例えば、８０％〜９０％前後の加硫状態のプレモールディング品を得た後、最終成形用金型を用いてプレス成形をして仕上げることにより、高寸法精度の耐滑靴底を成形することができる。
【００３４】
（試験例）
（実施例１）
図１及び図２に示した構造の耐滑靴底を、ミッドソール２０を反発率７０％、アスカーＣ硬度５５度の発泡ＥＶＡ（エチレンビニルアセテート）とし、アウトソール３０をＪＩＳ  Ａ硬度６０のＮＢＲ配合ゴムを用いて製造し、耐滑性として、動摩擦係数を測定した。結果は表１に示す。
【００３５】
動摩擦係数の測定は、ＪＩＳ  Ｔ８１０１の耐滑試験方法に基づき行った。
反発率の測定は、ＪＩＳ  Ｋ６４００の反発力の測定方法に準じて行った。用いた発泡ＥＶＡの２５ｍｍ厚のシートを用い、直径１６ｍｍのスチールボール（重さ１６．５ｇ）を高さ５００ｍｍから落下させたときの跳ね返り高さ（％）とした。
【００３６】
（比較例１）
ミッドソール２０を、アスカーＣ硬度７０度で反発率が５０％の発泡ＥＶＡを用いた以外は、実施例１と同様とした。
【００３７】
（比較例２）
ミッドソール２０を、アスカーＣ硬度５５度で反発率が４０％の発泡ＥＶＡを用いた以外は、実施例１と同様とした。
【００３８】
【表１】
2020074859.tif 000003
【００３９】
実施例、比較例に示すように、実施例の耐滑靴底は、ミッドソールに低硬度で高反発率のミッドソールを用いることにより、高い耐滑性を得ることができた。
また、ミッドソールが高反発であるため、着用者にとって長時間履いていても足が疲れにくく、しかも、ミッドソールが前後方向だけでなく左右方向にも荷重によって沈み込みにくくなるため、着用者が踵を捻挫する等の不具合を防止することができる。
【符号の説明】
【００４０】
１０  耐滑靴底
２０  ミッドソール
３０  アウトソール
３１  ブロック意匠
【図１】
2020074859.tif 000004
【図２】
2020074859.tif 000005
【図３】
2020074859.tif 000006
【図４】
2020074859.tif 000007